(57)【要約】【課題】電極組立体における電極の積層ずれを抑制しつつ、充放電時における電極の変形を抑制すること。【解決手段】二次電池１０では、複数の矩形シート状の電極が互いに絶縁された層状構造を有する電極組立体２０に対してテープ４０が貼り付けられている。テープ４０は、電極組立体２０の第１端面３１に沿う第１部位４１と、第１端面３１を電極組立体２０の積層方向Ｘに繋ぐ第２端面３３に沿う第２部位４３と、を備える。第１部位４１と第２部位４３とが連続する方向をテープ４０の連続方向とすると、第１部位４１はテープ４０の第２端縁４０ｄからテープ４０の連続方向に切り込まれた切れ込み部４５を有する。テープ４０は、第１端面３１と第２端面３３とを繋ぐ角部３４の延びる方向に切れ込み部４５が広がるとともに、テープ４０の第２端縁４０ｄ側ほど切れ込み部４５が大きく広がるように、テープ４０が電極組立体２０に貼り付けられている。【選択図】図１
2020119688.tif 000002
【特許請求の範囲】
【請求項１】
複数の矩形シート状の電極が互いに絶縁された層状構造を有する電極組立体に対してテープが貼り付けられた蓄電装置であって、
前記テープは、前記電極組立体の積層方向における両端面に沿う第１部位と、前記両端面を前記電極組立体の積層方向に繋ぐ連結端面に沿う第２部位と、を備え、
前記第１部位と前記第２部位とが連続する方向を連続方向とすると、
前記第１部位は、前記連続方向の端に位置する前記テープの端縁から前記連続方向に切り込まれた切れ込み部を有し、
前記テープは、前記両端面と前記連結端面とを繋ぐ角部の延びる方向に前記切れ込み部が広がるとともに、前記テープの端縁側ほど前記切れ込み部が大きく広がるように、前記テープが前記電極組立体に貼り付けられている蓄電装置。
【請求項２】
前記テープは、前記テープの長手方向に延びる一対の第１端縁と、前記テープの短手方向に延びる一対の第２端縁と、を備える矩形状をなすとともに、前記電極の四隅で構成される前記電極組立体の四隅から離間した位置に貼り付けられ、
前記切れ込み部は、前記第２端縁から切り込まれて形成されており、
前記テープにおける一対の前記第１端縁の中間位置を繋いだ線を中間線とするとき、
前記第１部位は、前記中間線を挟んで両側の同位置に同数ずつ前記切れ込み部を有する請求項１に記載の蓄電装置。
【請求項３】
前記テープは、前記テープの長手方向に延びる一対の第１端縁と、前記テープの短手方向に延びる一対の第２端縁と、を備える矩形状をなすとともに、前記電極の四隅で構成される前記電極組立体の四隅に貼り付けられ、
前記切れ込み部は、前記第２端縁から切り込まれて形成されており、
前記テープにおける一対の前記第１端縁の中間位置を繋いだ線を中間線とするとき、
前記第１部位は、前記中間線を挟んで前記電極組立体の中央から離れる側に前記切れ込み部を有さず、前記電極組立体の中央に近づく側に前記切れ込み部を有する請求項１に記載の蓄電装置。
【請求項４】
前記電極組立体の積層方向における両端面のうち、一方端面に貼り付けられる前記第１部位に位置する前記切れ込み部と、他方端面に貼り付けられる前記第１部位に位置する前記切れ込み部とは繋がっていない請求項１〜請求項３のうちいずれか一項に記載の蓄電装置。
【請求項５】
前記切れ込み部の先端は湾曲した形状である請求項４に記載の蓄電装置。
【発明の詳細な説明】
【技術分野】
【０００１】
本発明は、蓄電装置に関する。
【背景技術】
【０００２】
二次電池などの蓄電装置は、ケースと、ケースに収容された電極組立体とを備える。電極組立体としては、複数のシート状の電極が互いに絶縁された層状構造を有する電極組立体がある。また、電極組立体には、複数の電極が面方向や積層方向にばらけることを規制するため、テープが貼り付けられている。電極組立体にテープが貼り付けられた蓄電装置としては、例えば、特許文献１に記載されている。
【先行技術文献】
【特許文献】
【０００３】
【特許文献１】国際公開第２０１７／０３３４２０号
【発明の概要】
【発明が解決しようとする課題】
【０００４】
ところで、特許文献１に記載の蓄電装置では、電極組立体の積層方向における両端面とその両端面を繋ぐ連結端面とを繋ぐ角部の延びる方向において、テープの全体で電極組立体を拘束している。そのため、電極組立体でのテープが貼られている箇所と、テープが貼られていない箇所との間で、電極組立体の積層方向の厚みの変化が急激なものとなる。こうした蓄電装置では、充放電時における電極の膨張が生じ、テープが貼られていない箇所にて電極組立体の積層方向の厚みが大きくなると、テープが貼られている箇所とテープが貼られていない箇所との境界部分にて電極が変形するおそれがある。なお、テープの全体で弛みをもたせて電極組立体に貼り付けることで、上記のような電極の変形を抑制することができる。しかし、テープの弛みの分だけ電極組立体の全体で電極間の隙間が生じてしまい、電極組立体にて電極の積層ずれが発生しやすくなる。
【０００５】
本発明は、上記課題を解決するためになされたものであり、その目的は、電極組立体における電極の積層ずれを抑制しつつ、充放電時における電極の変形を抑制できる蓄電装置を提供することにある。
【課題を解決するための手段】
【０００６】
上記課題を解決する蓄電装置は、複数の矩形シート状の電極が互いに絶縁された層状構造を有する電極組立体に対してテープが貼り付けられた蓄電装置であって、前記テープは、前記電極組立体の積層方向における両端面に沿う第１部位と、前記両端面を前記電極組立体の積層方向に繋ぐ連結端面に沿う第２部位と、を備え、前記第１部位と前記第２部位とが連続する方向を連続方向とすると、前記第１部位は、前記連続方向の端に位置する前記テープの端縁から前記連続方向に切り込まれた切れ込み部を有し、前記テープは、前記両端面と前記連結端面とを繋ぐ角部の延びる方向に前記切れ込み部が広がるとともに、前記テープの端縁側ほど前記切れ込み部が大きく広がるように、前記テープが前記電極組立体に貼り付けられていることを特徴とする。
【０００７】
上記構成によれば、テープのうち、電極組立体の角部の延びる方向における中央部分では、第１部位が大きくなるとともに第２部位が小さくなるため、電極組立体における電極間での隙間の発生を抑制することができる。したがって、電極組立体における電極の積層ずれを抑制できる。一方、テープのうち、電極組立体の角部の延びる方向にて中央部分と隣接する部分では、電極組立体の角部の延びる方向の端部部分ほど、第１部位が小さくなるとともに第２部位が大きくなる。そのため、テープの上記中央部分に隣接する部分が貼られている電極組立体の部分では、電極組立体の角部の延びる方向の端部部分ほど、電極組立体における電極間での隙間が大きくなることにより、電極組立体の積層方向の厚みが大きくなる。そして、テープの上記中央部分と上記中央部分に隣接する部分とが同じ第２部位の大きさでもって電極組立体に貼られる場合と比較して、電極組立体でのテープが貼られている箇所とテープが貼られていない箇所との間での電極組立体の積層方向の厚みの変化がなだらかになる。したがって、蓄電装置の充放電時における電極の膨張が生じても、テープが貼られている箇所とテープが貼られていない箇所との境界部分で、電極が変形することを抑制できる。
【０００８】
蓄電装置において、前記テープは、前記テープの長手方向に延びる一対の第１端縁と、前記テープの短手方向に延びる一対の第２端縁と、を備える矩形状をなすとともに、前記電極の四隅で構成される前記電極組立体の四隅から離間した位置に貼り付けられ、前記切れ込み部は、前記第２端縁から切り込まれて形成されており、前記テープにおける一対の前記第１端縁の中間位置を繋いだ線を中間線とするとき、前記第１部位は、前記中間線を挟んで両側の同位置に同数ずつ前記切れ込み部を有することが好ましい。
【０００９】
テープが電極組立体の四隅から離間した位置に貼られている場合、テープの中間線を挟んだ両側にテープが貼られていない電極組立体の箇所が位置することとなる。こうした場合において、上記構成では、第１部位が中間線を挟んで両側の同位置に同数ずつ切れ込み部を有するようにしている。そのため、テープの中間線を挟んだ両側にて、電極組立体でのテープが貼られている箇所とテープが貼られていない箇所との間での電極組立体の積層方向の厚みの変化をなだらかにできる。
【００１０】
蓄電装置において、前記テープは、前記テープの長手方向に延びる一対の第１端縁と、前記テープの短手方向に延びる一対の第２端縁と、を備える矩形状をなすとともに、前記電極の四隅で構成される前記電極組立体の四隅に貼り付けられ、前記切れ込み部は、前記第２端縁から切り込まれて形成されており、前記テープにおける一対の前記第１端縁の中間位置を繋いだ線を中間線とするとき、前記第１部位は、前記中間線を挟んで前記電極組立体の中央から離れる側に前記切れ込み部を有さず、前記電極組立体の中央に近づく側に前記切れ込み部を有することが好ましい。
【００１１】
テープが電極組立体の四隅に貼られている場合、テープの中間線を挟んだ一方側である電極組立体の中央に近づく側に、テープが貼られていない電極組立体の箇所が位置することとなる。こうした場合において、上記構成では、第１部位が中間線を挟んで電極組立体の中央から離れる側に切れ込み部を有さず、電極組立体の中央に近づく側に切れ込み部を有するようにしている。そのため、テープにおける電極組立体の中央に近づく側にて、電極組立体でのテープが貼られている箇所とテープが貼られていない箇所との間での電極組立体の積層方向の厚みの変化をなだらかにできる。
【００１２】
蓄電装置において、前記電極組立体の積層方向における両端面のうち、一方端面に貼り付けられる前記第１部位に位置する前記切れ込み部と、他方端面に貼り付けられる前記第１部位に位置する前記切れ込み部とは繋がっていないことが好ましい。
【００１３】
仮に、電極組立体の積層方向における両端面に貼り付けられる第１部位同士で、切れ込み部が繋がる場合、テープは切れ込み部を境に別体となる。そのため、電極組立体にテープを貼り付ける際に、テープ貼り付けにかかる工数が増大してしまう。上記構成によれば、電極組立体の積層方向における両端面に貼り付けられる第１部位同士で、切れ込み部が繋がっていないため、切れ込み部を形成したテープ全体が一体となる。したがって、テープ貼り付けにかかる工数を低減できる。
【００１４】
蓄電装置において、前記切れ込み部の先端は湾曲した形状であることが好ましい。
蓄電装置では、使用に伴う電極組立体の膨張収縮等によってテープに切れ込み部が広がるような力が加わるおそれがある。切れ込み部に角がある場合、その角の部分に応力が集中しやすく、角よりも先まで切れ込みが進むおそれがある。上記構成では、切れ込み部の先端が湾曲した形状であるため、テープに切れ込み部が広がるような力が加わる状況下でも、先端よりも先まで切れ込みが進みにくくなる。
【発明の効果】
【００１５】
この発明によれば、電極組立体における電極の積層ずれを抑制しつつ、充放電時における電極の変形を抑制できる。
【図面の簡単な説明】
【００１６】
【図１】二次電池の分解斜視図。
【図２】電極組立体の分解斜視図。
【図３】電極組立体を部分的に示す断面図。
【図４】テープを示す正面図。
【図５】電極組立体に貼り付けられたテープを示す上面図。
【図６】電極組立体の側面図。
【図７】他の形態における電極組立体を示す正面図。
【図８】他の形態における電極組立体に貼り付けられたテープを示す上面図。
【発明を実施するための形態】
【００１７】
以下、蓄電装置を二次電池に具体化した実施形態について図１〜図６を用いて説明する。
図１に示すように、二次電池１０のケース１１は、有底筒状のケース本体１２と、ケース本体１２の開口部１２ａを塞ぐ蓋１３とを備える。また、ケース１１には、電極組立体２０が収容されている。
【００１８】
図２に示すように、電極組立体２０は、矩形シート状の複数の正極電極２１と、矩形シート状の複数の負極電極２２とを備える。電極組立体２０は、正極電極２１と負極電極２２とが矩形シート状のセパレータ２３によって相互に絶縁された状態で交互に積層されることで構成されている。セパレータ２３は絶縁性材料からなる。なお、正極電極２１及び負極電極２２が積層される方向を電極組立体２０の積層方向とする。この電極組立体２０の積層方向を、以下では単に積層方向Ｘと称する。
【００１９】
正極電極２１及び負極電極２２は、矩形シート状の金属箔２４を備える。正極電極２１の金属箔２４は、例えばアルミニウム箔である。負極電極２２の金属箔２４は、例えば銅箔である。正極電極２１及び負極電極２２は、金属箔２４の両面に存在する活物質層２５を備える。活物質層２５は、それぞれの極性用の活物質、バインダ、及び導電助剤などを含む。また、正極電極２１及び負極電極２２は、一辺の一部から突出するタブ２６を備える。タブ２６は、活物質層２５を有さず、金属箔２４のみからなる。
【００２０】
図１に示すように、各正極電極２１は、それぞれのタブ２６が積層方向Ｘに沿って列状に配置されるように積層される。同様に、各負極電極２２は、それぞれのタブ２６が正極電極２１のタブ２６と重ならない位置で積層方向Ｘに沿って列状に配置されるように積層される。また、二次電池１０は、電極組立体２０から電気を取り出すための正極端子２７及び負極端子２８を備える。正極端子２７及び負極端子２８は、蓋１３の貫通孔１３ｈを貫通してケース１１外に突出する。正極端子２７及び負極端子２８には、蓋１３と絶縁するためのリング状の絶縁リング２９がそれぞれ取り付けられている。各正極電極２１のタブ２６は正極端子２７と電気的に接続され、各負極電極２２のタブ２６は負極端子２８と電気的に接続されている。
【００２１】
図２に示すように、負極電極２２の長手方向の長さは、正極電極２１の長手方向の長さよりも長い。負極電極２２の短手方向の長さは、正極電極２１の短手方向の長さよりも長い。すなわち、負極電極２２の外形は、正極電極２１の外形よりも一回り大きい。したがって、図３に示すように、正極電極２１、負極電極２２、及びセパレータ２３が積層された状態で、負極電極２２は正極電極２１の縁部よりも外側にはみ出すはみ出し部２２ａを備える。本実施形態では、はみ出し部２２ａは、負極電極２２の４つの縁部全体に存在する。
【００２２】
図２に示すように、セパレータ２３の長手方向の長さは、負極電極２２の長手方向の長さと同じである。セパレータ２３の短手方向の長さは、負極電極２２の短手方向の長さと同じである。つまり、セパレータ２３の外形は、負極電極２２の外形と同じ大きさであり、正極電極２１の外形よりも一回り大きい。したがって、図３に示すように、正極電極２１、負極電極２２、及びセパレータ２３が積層された状態で、セパレータ２３は正極電極２１の縁部よりも外側にはみ出すはみ出し部２３ａを備える。本実施形態では、はみ出し部２３ａは、セパレータ２３の４つの縁部全体に存在する。
【００２３】
図１に示すように、電極組立体２０は、積層方向Ｘにおける両端面として第１端面３１を備える。本実施形態の第１端面３１は、積層方向Ｘの両端に位置する負極電極２２によって構成されている。電極組立体２０は、第１端面３１を積層方向Ｘに繋ぐ４つの連結端面としての第２端面３３を備える。第２端面３３は、負極電極２２のはみ出し部２２ａとセパレータ２３のはみ出し部２３ａとが積層されて構成されている。４つの第２端面３３のうち、正極電極２１及び負極電極２２のタブ２６が存在する面をタブ側端面３３ａとし、タブ側端面３３ａと反対側の面を底側端面３３ｂとし、残りの２面を第１側面３３ｃ、第２側面３３ｄとする。なお、タブ側端面３３ａ及び底側端面３３ｂに沿い、かつ積層方向Ｘと直交する方向を第１方向Ｙとする。第１側面３３ｃ及び第２側面３３ｄに沿い、かつ積層方向Ｘ及び第１方向Ｙと直交する方向を第２方向Ｚとする。電極組立体２０では、第２方向Ｚにおいてタブ側端面３３ａ及び底側端面３３ｂから電極組立体２０の中央部に所定長さ近づいた位置までの領域と、第１方向Ｙにおいて第１側面３３ｃ及び第２側面３３ｄから電極組立体２０の中央部に所定長さ近づいた位置までの領域とが、はみ出し部２２ａ，２３ａで構成された領域となっている。この領域は正極電極２１が存在しない領域２０ｒ（図３）となっている。
【００２４】
図１に示すように、電極組立体２０の四隅Ｃ１は、積層された負極電極２２及びセパレータ２３の四隅から構成される。そして、電極組立体２０は、一方の第１端面３１と各第２端面３３とから形成される４つの角部３４を備えるとともに、他方の第１端面３１と各第２端面３３とから形成される４つの角部３４を備える。これら角部３４のうち、第１端面３１とタブ側端面３３ａ又は底側端面３３ｂとを繋ぐ角部３４は第１方向Ｙに延びるように存在しており、第１端面３１と第１側面３３ｃ又は第２側面３３ｄとを繋ぐ角部３４は第２方向Ｚに延びるように存在している。
【００２５】
また、二次電池１０は、電極組立体２０に貼り付けられた２枚の帯状のテープ４０を備える。各テープ４０は矩形状であり、一対の一方端縁としての第１端縁４０ｃと、一対の他方端縁としての第２端縁４０ｄとを有する。第１端縁４０ｃはテープ４０の長手方向に延び、第２端縁４０ｄはテープ４０の短手方向に延びる。各テープ４０は、電極組立体２０を構成する正極電極２１、負極電極２２、及びセパレータ２３が、積層方向Ｘ、第１方向Ｙ、及び第２方向Ｚにばらけることを規制する。
【００２６】
図３に示すように、各テープ４０は、粘着性を有する第１面４０ａと、第１面４０ａの裏側の第２面４０ｂとを備える。第１面４０ａは電極組立体２０と対向する。各テープ４０は、電極組立体２０の一方の第１端面３１、第２端面３３、及び他方の第１端面３１の３面に亘って貼り付けられている。図１に示すように、本実施形態では、電極組立体２０における第１側面３３ｃ及び第２側面３３ｄから一対の第１端面３１に１枚ずつテープ４０が貼り付けられている。また、テープ４０は、電極組立体２０の四隅Ｃ１から第２方向Ｚに離間した位置であって、第２方向Ｚにおける第１側面３３ｃ及び第２側面３３ｄの略中間に貼り付けられている。
【００２７】
また、図１及び図３に示すように、各テープ４０は、電極組立体２０の両方の第１端面３１に貼り付けられる一対の第１部位４１と、第１側面３３ｃや第２側面３３ｄに貼り付けられる第２部位４３と、から構成されている。第１部位４１は、テープ４０の第２端縁４０ｄから第１端縁４０ｃの延びる方向に沿って、電極組立体２０の第１端面３１から第１端面３１と第１側面３３ｃ又は第２側面３３ｄとを繋ぐ角部３４にまで延びている。第２部位４３は、テープ４０の第１端縁４０ｃの延びる方向に沿って、電極組立体２０の一方の第１端面３１と第１側面３３ｃ又は第２側面３３ｄとを繋ぐ角部３４から電極組立体２０の他方の第１端面３１と第１側面３３ｃ又は第２側面３３ｄとを繋ぐ角部３４にまで延びている。電極組立体２０の第１端面３１と第１側面３３ｃ又は第２側面３３ｄとを繋ぐ角部３４には、テープ４０における第１部位４１と第２部位４３との境界部分４０ｅが対向して位置している。テープ４０においては、第１部位４１、第２部位４３、及び第１部位４１の順でテープ４０の長手方向に連続している。テープ４０において、第１部位４１と第２部位４３とが連続する方向をテープ４０の連続方向とする。
【００２８】
電極組立体２０に貼り付けられる前のテープ４０について説明する。
図４に示すように、テープ４０における第１部位４１となる部分は、テープ４０の第２端縁４０ｄから切り込まれた切れ込み部４５を有する。切れ込み部４５は、第１部位４１となる部分のうち、第２端縁４０ｄから第１端縁４０ｃの延びる方向に延びている。なお、電極組立体２０に貼り付けられる前のテープ４０では、第１部位４１と第２部位４３とが第１端縁４０ｃの延びる方向に連続している。そのため、テープ４０において、第２端縁４０ｄは上記テープ４０の連続方向の端に位置し、切れ込み部４５は上記テープ４０の連続方向に延びている。
【００２９】
また、切れ込み部４５は、上記テープ４０の連続方向において、第１部位４１となる部分の第２端縁４０ｄ側の略半分に形成されている。すなわち切れ込み部４５は、上記テープ４０の連続方向において、テープ４０における第１部位４１となる部分の第２端縁４０ｄとは反対側の略半分と、第２部位４３となる部分とには形成されていない。そのため、テープ４０の第１端縁４０ｃの延びる方向において、電極組立体２０の一方の第１端面３１に貼り付けられる第１部位４１となる部分に位置する切れ込み部４５と、他方の第１端面３１に貼り付けられる第１部位４１となる部分に位置する切れ込み部４５とは、繋がっていない。
【００３０】
また、切れ込み部４５は、各第１部位４１となる部分に４つずつ形成されている。各第１部位４１となる部分において、切れ込み部４５は互いに等しい間隔をもって第２端縁４０ｄの延びる方向に沿って並んでいる。各第１部位４１となる部分に形成される切れ込み部４５のうち、第２端縁４０ｄに沿う方向における両端に位置する切れ込み部４５は、切れ込み部４５の間の間隔と同程度の間隔をもって、第１部位４１となる部分における第１端縁４０ｃから離間している。テープ４０において、第１端縁４０ｃと平行で、且つ一対の第１端縁４０ｃ同士の中間位置を繋いだ線を中間線Ｃ２とするとき、第１部位４１となる部分は、中間線Ｃ２上には切れ込み部４５を有さず、中間線Ｃ２を挟んで両側の同位置に２つずつ切れ込み部４５を有する。また、テープ４０の切れ込み部４５は、第２端縁４０ｄとは反対側の端部である先端４５ａが円状に切り欠かれている。これにより、切れ込み部４５の先端４５ａは湾曲した形状となっている。
【００３１】
電極組立体２０に貼り付けられた後のテープ４０について説明する。以下では、２つのテープ４０の一方のテープ４０である、電極組立体２０の第１側面３３ｃに貼り付けられるテープ４０について、図５に基づいて説明する。なお、他方のテープ４０は、電極組立体２０の第２側面３３ｄに貼り付けられる点のみが一方のテープ４０と異なっている。そのため、以下の図５に基づくテープ４０の説明において、第１側面３３ｃを第２側面３３ｄと読み替えれば、以下の一方のテープ４０に関する説明を他方のテープ４０に関する説明とすることができる。
【００３２】
図５に示すように、テープ４０の一方の第１部位４１は、貼り付けられる第１端面３１と第１側面３３ｃとを繋ぐ角部３４の延びる方向である第２方向Ｚに各切れ込み部４５が広がるように、電極組立体２０の第１端面３１に貼り付けられている。第１部位４１では、切れ込み部４５の先端４５ａから第２端縁４０ｄ側に近づくほど、切れ込み部４５は、第２端縁４０ｄの延びる方向へ開口幅が大きく広がっている。これにより、テープ４０の一方の第１部位４１では、電極組立体２０の第１端面３１上で第２端縁４０ｄが円弧状をなすように貼り付けられている。また、図５には図示されていないが、テープ４０の他方の第１部位４１も、上記の一方の第１部位４１と同様に、第２方向Ｚに各切れ込み部４５が広がるように、電極組立体２０の第１端面３１に貼り付けられている。
【００３３】
電極組立体２０におけるテープ４０が貼られている箇所をテープ貼り付け箇所Ｒとする。テープ貼り付け箇所Ｒは、電極組立体２０において、テープ４０の第１面４０ａと対向する箇所である。また、テープ貼り付け箇所Ｒのうち、第２方向Ｚの中央に位置する部分を中央部分Ｒ１とする。中央部分Ｒ１は、テープ貼り付け箇所Ｒのうち、テープ４０の第１部位４１において中間線Ｃ２を挟む一対の切れ込み部４５によって挟まれた部分であって、その部分をテープ４０の長手方向の全体にわたって延長した部分である。一方、テープ貼り付け箇所Ｒのうち、第２方向Ｚにて中央部分Ｒ１を挟んで両側に位置する部分を端部部分Ｒ２とする。
【００３４】
また、二次電池１０の製造工程において、電極組立体２０へのテープ４０の貼り付けが行われた後、本実施形態では、電極組立体２０に貼り付けられたテープ４０の画像を検出し、その画像に基づいて検査を行う。この検査では、検出された画像に基づいて、テープ４０における複数箇所で第２端縁４０ｄと直交する方向に沿った第２端縁４０ｄと境界部分４０ｅとの寸法を検出する。そして、検出された各寸法がそれぞれ既定の寸法となっていれば、テープ４０による電極組立体２０の拘束が所望の態様となっていると判断できる。
【００３５】
次に、本実施形態による作用について説明する。
図５又は図６に示すように、テープ４０における第２方向Ｚの中央部分、すなわち電極組立体２０のテープ貼り付け箇所Ｒにおける中央部分Ｒ１に貼られているテープ４０の部分では、電極組立体２０の第１端面３１に貼られるテープ４０の第１部位４１が、端部部分Ｒ２に貼られているテープ４０の部分と比較して大きい。中央部分Ｒ１に貼られているテープ４０の部分では、第１部位４１が大きい分だけ、電極組立体２０の第１側面３３ｃや第２側面３３ｄに貼られるテープ４０の第２部位４３が、端部部分Ｒ２に貼られているテープ４０の部分と比較して小さくなる。そのため、中央部分Ｒ１を構成する部分の電極組立体２０の積層方向Ｘの厚みは、中央部分Ｒ１に貼られているテープ４０の第２部位４３のテープ４０の長手方向の大きさ相当に制限される。したがって、電極組立体２０における正極電極２１、負極電極２２、及びセパレータ２３の間での隙間の発生が抑制されることにより、電極組立体２０の積層方向Ｘの厚みがテープ４０の貼り付け前よりも小さくなる。
【００３６】
一方、テープ４０における第２方向Ｚの中央部分と隣接する部分、すなわち電極組立体２０のテープ貼り付け箇所Ｒにおける端部部分Ｒ２に貼られているテープ４０の部分では、第２方向Ｚにおける電極組立体２０の両端部分ほど、テープ４０の第１部位４１が、中央部分Ｒ１に貼られているテープ４０の部分と比較して小さくなっている。端部部分Ｒ２に貼られているテープ４０の部分では、第１部位４１が小さい分だけ、電極組立体２０の第１側面３３ｃや第２側面３３ｄに貼られるテープ４０の第２部位４３が、第２方向Ｚにおける電極組立体２０の両端部分ほど、中央部分Ｒ１に貼られているテープ４０の部分と比較して大きくなっている。そのため、電極組立体２０における端部部分Ｒ２を構成する部分では、第２方向Ｚにおける電極組立体２０の両端部分ほど、電極組立体２０における正極電極２１、負極電極２２、及びセパレータ２３の間での隙間が大きくなる。そして、端部部分Ｒ２では、電極組立体２０の積層方向Ｘの厚みがテープ４０の貼り付け前よりも小さくはなるものの、第２方向Ｚにおいて電極組立体２０の両端部分に近づくほど、電極組立体２０の積層方向Ｘの厚みが徐々に大きくなる。
【００３７】
上記実施形態では以下の効果を得ることができる。
（１−１）テープ４０の第１部位４１に複数の切れ込み部４５を設け、第１部位４１は切れ込み部４５が第２方向Ｚへ広がるように、電極組立体２０の第１端面３１に貼り付けられている。このため、テープ４０における第２方向Ｚの中央部分では、電極組立体２０における正極電極２１、負極電極２２、及びセパレータ２３の間での隙間の発生を抑制することにより、電極組立体２０における正極電極２１、負極電極２２、及びセパレータ２３の積層ずれを抑制できる。一方、テープ４０における第２方向Ｚの中央部分と隣接する部分では、第２方向Ｚの両端部分ほど、貼られている電極組立体２０の部分における正極電極２１、負極電極２２、及びセパレータ２３の間での隙間が大きくなる。そのため、テープ４０の上記中央部分と上記中央部分に隣接する部分とが同じ第２部位４３の大きさでもって電極組立体２０に貼られる場合と比較して、電極組立体２０でのテープ４０が貼られている箇所とテープ４０が貼られていない箇所との間での電極組立体２０の積層方向Ｘの厚みの変化がなだらかになる。したがって、二次電池１０の充放電時における正極電極２１や負極電極２２の膨張が生じても、テープ４０が貼られている箇所とテープ４０が貼られていない箇所との境界部分で、負極電極２２が変形することを抑制できる。
【００３８】
（１−２）上記実施形態のように、テープ４０が電極組立体２０の四隅Ｃ１から離間した位置に貼られている場合、テープ４０の中間線Ｃ２を挟んだ両側にテープ４０が貼られていない電極組立体２０の箇所が位置することとなる。こうした形態の上記実施形態では、第１部位４１が中間線Ｃ２を挟んで両側の同位置に同数ずつ切れ込み部４５を有するようにしている。そのため、テープ４０の中間線Ｃ２を挟んだ両側にて、電極組立体２０でのテープ４０が貼られている箇所とテープ４０が貼られていない箇所との間での電極組立体２０の積層方向Ｘの厚みの変化をなだらかにできる。
【００３９】
（１−３）積層方向Ｘにおける電極組立体２０の第１端面３１に貼り付けられる第１部位４１同士で、切れ込み部４５が繋がっていないため、切れ込み部４５を形成したテープ４０全体が一体となる。したがって、電極組立体２０へのテープ４０の貼り付けにかかる工数を低減できる。
【００４０】
（１−４）二次電池１０では、使用に伴う電極組立体２０の膨張収縮等によってテープ４０に切れ込み部４５が広がるような力が加わるおそれがある。上記実施形態では、切れ込み部４５の先端４５ａを湾曲した形状としている。そのため、テープ４０に切れ込み部４５が広がるような力が加わる状況下でも、先端４５ａよりも先まで切れ込みが進みにくくなる。
【００４１】
（１−５）電極組立体２０に貼り付けられるテープ４０の画像を検出して、テープ４０の切れ込み部４５の広がりや、テープ４０の第２端縁４０ｄの位置等を検査することにより、テープ４０による電極組立体２０の拘束が所望の態様となっているか検査することができる。そのため、テープ４０による電極組立体２０の拘束態様が二次電池１０毎でばらつきにくくなるため、二次電池１０の電池性能のばらつきを小さくできる。
【００４２】
なお、上記実施形態は、以下のように変更して実施することができる。上記実施形態及び以下の変更例は、技術的に矛盾しない範囲で互いに組み合わせて実施することができる。
【００４３】
○  テープ４０を貼る位置は、電極組立体２０の一方の第１端面３１、第２端面３３、及び他方の第１端面３１に亘って貼られる位置であれば、適宜変更してよい。例えば、図７に示すように、電極組立体２０の四隅Ｃ１にテープ１４０を貼り付けてもよい。このテープ１４０は、上記実施形態のテープ４０とは第１部位４１における切れ込み部４５の形成箇所が異なる点以外は同様の構成を有する。具体的には、図８に示すように、テープ１４０の第１部位４１は、中間線Ｃ２を挟んで一方の第１端縁４０ｃ側には切れ込み部４５を有さず、他方の第１端縁４０ｃ側に２つの切れ込み部４５を有している。そして、電極組立体２０にテープ１４０を貼り付けた状態では、テープ１４０の第１部位４１において、中間線Ｃ２を挟んで電極組立体２０の中央から離れる側に切れ込み部４５は位置せず、電極組立体２０の中央に近づく側に切れ込み部４５が位置している。
【００４４】
こうした変更例において、電極組立体２０におけるテープ１４０が貼られている箇所であるテープ貼り付け箇所Ｒのうち、第２方向Ｚにおける中央部分を含む一方の部分を一方部分Ｒ３とする。なお、上記一方部分Ｒ３は、テープ貼り付け箇所Ｒのうち、テープ１４０の第１部位４１において中間線Ｃ２に最も近い位置の切れ込み部４５と第１端縁４０ｃとで挟まれた中間線Ｃ２を含む部分であって、その部分をテープ１４０の長手方向の全体にわたって延長した部分である。一方、テープ貼り付け箇所Ｒのうち、第２方向Ｚにて上記一方部分Ｒ３に隣接して位置する他方の部分を他方部分Ｒ４とする。
【００４５】
上記変更例では、テープ１４０における第２方向Ｚの中央部分を含む部分、すなわち電極組立体２０のテープ貼り付け箇所Ｒにおける一方部分Ｒ３に貼られているテープ１４０の部分では、電極組立体２０の第１端面３１に貼られるテープ１４０の第１部位４１が、他方部分Ｒ４に貼られているテープ１４０の部分と比較して大きい。一方部分Ｒ３に貼られているテープ１４０の部分では、第１部位４１が大きい分だけ、電極組立体２０の第１側面３３ｃや第２側面３３ｄに貼られるテープ１４０の第２部位４３が、他方部分Ｒ４に貼られているテープ１４０の部分と比較して小さくなる。そのため、一方部分Ｒ３を構成する部分の電極組立体２０の積層方向Ｘの厚みは、一方部分Ｒ３に貼られているテープ１４０の第２部位４３のテープ４０の長手方向の大きさ相当に制限される。したがって、電極組立体２０における正極電極２１、負極電極２２、及びセパレータ２３の間での隙間の発生が抑制されることにより、電極組立体２０の積層方向Ｘの厚みがテープ１４０の貼り付け前よりも小さくなる。
【００４６】
一方、テープ１４０における第２方向Ｚの中央部分と隣接する部分、すなわち電極組立体２０のテープ貼り付け箇所Ｒにおける他方部分Ｒ４に貼られているテープ１４０の部分では、第２方向Ｚにおける電極組立体２０の中央に近づくほど、テープ１４０の第１部位４１が、一方部分Ｒ３に貼られているテープ１４０の部分と比較して小さくなっている。他方部分Ｒ４に貼られているテープ１４０の部分では、第１部位４１が小さい分だけ、電極組立体２０の第１側面３３ｃや第２側面３３ｄに貼られるテープ１４０の第２部位４３が、第２方向Ｚにおける電極組立体２０の中央に近づくほど、一方部分Ｒ３に貼られているテープ１４０の部分と比較して大きくなっている。そのため、電極組立体２０における他方部分Ｒ４を構成する部分では、第２方向Ｚにおける電極組立体２０の中央に近づくほど、電極組立体２０における正極電極２１、負極電極２２、及びセパレータ２３の間での隙間が大きくなる。そして、他方部分Ｒ４では、電極組立体２０の積層方向Ｘの厚みがテープ１４０の貼り付け前よりも小さくはなるものの、第２方向Ｚにおいて電極組立体２０の中央に近づくほど、電極組立体２０の積層方向Ｘの厚みが徐々に大きくなる。
【００４７】
上記変更例によれば、上記実施形態の（１−１）、（１−３）、（1−４）、及び（１−５）の効果と同様の効果に加えて、以下の効果を得ることができる。
（２−１）テープ１４０が電極組立体２０の四隅Ｃ１に貼られている場合、テープ１４０の中間線Ｃ２を挟んだ一方側である電極組立体２０の中央に近づく側に、テープ１４０が貼られていない電極組立体２０の箇所が位置することとなる。こうした場合において、上記変更例では、第１部位４１が中間線Ｃ２を挟んで電極組立体２０の中央から離れる側に切れ込み部４５を有さず、電極組立体２０の中央に近づく側に切れ込み部４５を有するようにしている。そのため、テープ１４０における電極組立体２０の中央に近づく側にて、電極組立体２０でのテープ１４０が貼られている箇所とテープ１４０が貼られていない箇所との間での電極組立体２０の積層方向Ｘの厚みの変化をなだらかにできる。
【００４８】
○  テープ４０の貼り付け位置を、電極組立体２０の第２方向Ｚで変更してもよい。
○  テープ４０，１４０の枚数は、２枚に限定されず、適宜変更してよい。
○  電極組立体２０の第１側面３３ｃ及び第２側面３３ｄに加えて、又は電極組立体２０の第１側面３３ｃ及び第２側面３３ｄにかえて、電極組立体２０のタブ側端面３３ａ及び底側端面３３ｂにテープ４０，１４０を貼り付けてもよい。
【００４９】
○  テープ４０，１４０は、楕円状等、矩形状以外の形状であってよい。
○  切れ込み部４５の先端４５ａは切り欠かずに湾曲した形状としてもよい。
○  切れ込み部４５の先端４５ａは、矩形状等の円状以外の形状で切り欠かれた形状としてもよい。また、切れ込み部４５の先端４５ａを切り欠かず、角張った形状としてもよい。
【００５０】
○  切れ込み部４５の間隔は等間隔でなくてもよい。
○  テープ４０，１４０の第１部位４１において、切れ込み部４５の形成範囲は第２端縁４０ｄから第２部位４３との境界部分４０ｅまでの範囲で適宜変更可能である。
【００５１】
○  テープ４０，１４０の第２部位４３にまで切れ込み部４５を形成してもよい。また、テープ４０，１４０において、一方の第１部位４１、第２部位４３、及び他方の第１部位４１に切れ込み部４５が繋がるようにしてもよい。
【００５２】
○  切れ込み部４５は、第１端縁４０ｃに対して傾斜した方向に延ばしてもよい。
○  テープ４０に形成される切れ込み部４５の数は１つであってもよいし、５つ以上であってもよい。また、テープ１４０に形成される切れ込み部４５の数は１つであってもよいし、３つ以上であってもよい。
【００５３】
○  正極電極２１や負極電極２２は、金属箔の片面に活物質層が存在する構造でもよい。
○  正極電極２１、負極電極２２、及びセパレータ２３の大小関係は適宜変更可能である。
【００５４】
○  電極組立体２０の構成は、正極電極及び負極電極の一方又は双方が袋状セパレータによって収納された収納電極が積層された構成としてもよい。
○  電極組立体２０は、長尺帯状の正極電極と、長尺帯状の負極電極とを、長尺帯状のセパレータを介して捲回した捲回型であってもよい。
【００５５】
○  二次電池１０は、リチウムイオン電池であったが、これに限らず、他の二次電池であってもよい。
○  蓄電装置は、二次電池でなく、電気二重層キャパシタ等の他の蓄電装置に適用してもよい。
【符号の説明】
【００５６】
Ｃ１…四隅、Ｃ２…中間線、１０…二次電池、２０…電極組立体、２１…正極電極、２２…負極電極、２３…セパレータ、３１…第１端面、３３…第２端面、３３ａ…タブ側端面、３３ｂ…底側端面、３３ｃ…第１側面、３３ｄ…第２側面、３４…角部、４０，１４０…テープ、４０ｃ…第１端縁、４０ｄ…第２端縁、４１…第１部位、４３…第２部位、４５…切れ込み部、４５ａ…先端。
【図１】
2020119688.tif 000003
【図２】
2020119688.tif 000004
【図３】
2020119688.tif 000005
【図４】
2020119688.tif 000006
【図５】
2020119688.tif 000007
【図６】
2020119688.tif 000008
【図７】
2020119688.tif 000009
【図８】
2020119688.tif 000010